【手続補正書】
【提出日】平成27年9月28日(2015.9.28)
【手続補正１】
【補正対象書類名】特許請求の範囲
【補正対象項目名】全文
【補正方法】変更
【補正の内容】
【特許請求の範囲】
【請求項１】
サプライチェーン・マネジメントシステムであって、
プロセッサと、
具体化するために前記プロセッサにより実行される機械読取可能な命令を含むメモリと、を備え、
前記命令は、前記プロセッサを、
少なくとも第１の取引相手と動作可能な通信状態において、前記第１の取引相手に関するサプライチェーンスナップショットデータおよび前記第１の取引相手に関係するサプライチェーンフローデータを前記第１の取引相手から受信する統合手段であって、前記サプライチェーンフローデータは、前記第１の取引相手と少なくとも第２の取引相手との間で交換されるサイト間データに対応する、前記統合手段、
前記サプライチェーンスナップショットデータおよび前記サプライチェーンフローデータを分析して、検証済みサプライチェーンのステータスデータを定義するデータ集約手段であって、前記サプライチェーンスナップショットデータおよび前記サプライチェーンフローデータの分析は、前記サプライチェーンスナップショットデータと前記サプライチェーンフローデータとの間の不整合を特定し、前記サプライチェーンフローデータに基づいて前記サプライチェーンスナップショットデータの少なくとも一部分を修正することを含む、前記データ集約手段、
前記検証済みサプライチェーンのステータスデータをユーザに提示する管理手段
として機能させる、サプライチェーン・マネジメントシステム。
【請求項２】
前記サプライチェーンスナップショットデータは、
前記第１の取引相手および少なくとも１つの第２の取引相手からの非同期のサプライチェーンスナップショットデータを含む、請求項１に記載のサプライチェーン・マネジメントシステム。
【請求項３】
前記非同期のスナップショットデータは、
第１の時点における前記第１の取引相手からの第１サプライチェーンスナップショットデータおよび第２の時点における前記第２の取引相手からの第２サプライチェーンスナップショットデータを含み、
前記非同期のサプライチェーンスナップショットデータは、
前記第１の時点と前記第２の時点との間における前記第１の取引相手または前記第２の取引相手のうちの少なくとも一方のサプライチェーンのステータスの変化に基づく少なくとも１つの不整合を含む、請求項２に記載のサプライチェーン・マネジメントシステム。
【請求項４】
前記サプライチェーンフローデータは前記不整合を示し、前記不整合は少なくとも部分的に前記サプライチェーンフローデータに基づいて前記検証済みサプライチェーンデータから取り除かれる、請求項３に記載のサプライチェーン・マネジメントシステム。
【請求項５】
前記管理手段は、少なくとも部分的に前記検証済みサプライチェーン・ステータスデータに基づいて業務プロセスフローを実行し、
前記業務プロセスフローは、予測コラボレーションプロセス、注文管理プロセス、データ品質プロセス、在庫管理プロセス、過剰・陳腐化モニタリングプロセス、または在庫再配分プロセスのうちの少なくとも１つを含む、請求項１に記載のサプライチェーン・マネジメントシステム。
【請求項６】
前記業務プロセスフローに応答して、前記管理手段は、業務プロセスフローデータを前記データ集約手段に通信し、
前記データ集約手段は、前記業務プロセスフローデータを少なくとも前記第１の取引相手に通信する、請求項５に記載のサプライチェーン・マネジメントシステム。
【請求項７】
前記管理手段は、前記検証済みサプライチェーンデータに基づいて、所定のサプライチェーン・マネジメント計画に対する前記第１の取引相手の業績を示す少なくとも１つの重要業績評価指数（ＫＰＩ）を計算する、請求項１に記載のサプライチェーン・マネジメントシステム。
【請求項８】
前記管理手段は、前記少なくとも１つのＫＰＩを前記ユーザにグラフ表示するダッシュボードを含む、請求項７に記載のサプライチェーン・マネジメントシステム。
【請求項９】
前記サプライチェーンスナップショットデータは、資材所要量計画（ＭＲＰ）データを含む、請求項１に記載のサプライチェーン・マネジメントシステム。
【請求項１０】
前記サプライチェーンフローデータは、前記第１の取引相手と少なくとも１つの第２の取引相手との間で交換されるサイト間データに対応する、請求項９に記載のサプライチェーン・マネジメントシステム。
【請求項１１】
前記サプライチェーンフローデータは、電子データ交換（ＥＤＩ）メッセージを含む、請求項１０に記載のサプライチェーン・マネジメントシステム。
【請求項１２】
前記サプライチェーンスナップショットデータおよび前記サプライチェーンフローデータを分析することは、自律的に行われる、請求項１１に記載のサプライチェーン・マネジメントシステム。
【請求項１３】
サプライチェーン・マネジメントのための方法であって、
コンピュータベースのサプライチェーン・マネジメントシステムにおいて少なくとも１つの取引相手から少なくともサプライチェーンスナップショットデータおよびサプライチェーンフローデータを受信することであって、前記サプライチェーンスナップショットデータは、第１の時点における第１の取引相手のステータスを示す資材所要量計画（ＭＲＰ）データを含み、前記サプライチェーンフローデータは、前記第１の取引相手と少なくとも第２の取引相手との間で交換されるサイト間データを含む、前記少なくともサプライチェーンスナップショットデータおよびサプライチェーンフローデータを受信すること、
前記少なくとも１つの取引相手から受信する前記サプライチェーンスナップショットデータおよびサプライチェーンフローデータを前記コンピュータベースのサプライチェーン・マネジメントシステムを用いて集約することであって、前記集約することは、前記サプライチェーンスナップショットデータおよび前記サプライチェーンフローデータを検証して検証済みサプライチェーンデータを定義することを含み、前記サプライチェーンスナップショットデータおよび前記サプライチェーンフローデータの検証は、前記サプライチェーンスナップショットデータと前記サプライチェーンフローデータとの間の不整合を特定し、前記サプライチェーンスナップショットデータおよび前記サプライチェーンフローデータの分析に基づいて前記不整合を解決することを含み、前記集約することは、前記サプライチェーンフローデータに基づいて前記サプライチェーンスナップショットデータの少なくとも一部分を修正することを含む、前記集約すること、
前記コンピュータベースのサプライチェーン・マネジメントシステムを用いて、前記検証済みサプライチェーンデータに基づいて前記第１の取引相手のサプライチェーンのステータスをモニタリングすることを備える、方法。
【請求項１４】
サプライチェーン・マネジメントのための方法であって、
生産目標、生産計画、需要予測のうちの少なくとも１つを含むサプライチェーン・マネジメント計画を準備すること、
前記サプライチェーン・マネジメント計画を少なくとも１つの取引相手に通信すること、
前記少なくとも１つの取引相手によって、前記サプライチェーン・マネジメント計画を実行すること、
少なくとも１つの取引相手からサプライチェーンスナップショットデータおよびサプライチェーンフローデータを集約して、前記少なくとも１つの取引相手に関する検証済みサプライチェーンデータを生成すること、
コンピュータベースのサプライチェーンマネージャで、前記検証済みサプライチェーンデータに基づいて前記少なくとも１つの取引相手に関する少なくとも１つの重要業績評価指数（ＫＰＩ）をモニタリングすること、
前記コンピュータベースのサプライチェーンマネージャで、前記少なくとも１つのＫＰＩの値に基づいて警報を生成すること、
前記コンピュータベースのサプライチェーンマネージャで、モニタリングにおいて特定された少なくとも１つの欠陥に基づいて、前記少なくとも１つの取引相手に関わる是正措置を判断することであって、前記少なくとも１つの欠陥は、納期の不遵守と、在庫の取扱いミスと、在庫不足と、供給率または需給率のミスマッチとのうちの少なくとも１つを含む、前記是正措置を判断すること、
前記コンピュータベースのサプライチェーンマネージャから前記是正措置に関する前記少なくとも１つの取引相手に業務フローを通信することであって、前記業務フローは、特定された欠陥を緩和するように構成され、前記業務フローは、前記サプライチェーン・マネジメント計画を修正する、前記業務フローを通信すること、
前記業務フローの通信の後、前記少なくとも１つの取引相手の改訂スナップショットデータおよび改訂フローデータを受信すること、
前記取引相手から受信した集約された改訂スナップショットデータおよび前記改訂フローデータに基づいて、前記業務フローに関する前記少なくとも１つの取引相手の遵守を追跡することを備える、方法。